(57)【要約】  【課題】ディスクの外周部においても適切な再生信号を得ることのできる光情報記録装置及び光情報記録方法を提供する。  【解決手段】ディスク１０の内周部における記録速度と外周部における記録速度とが異なる方式を用い、再生信号の振幅の非対称性を表すβ値が目標β値となるように記録パルスの記録パワーを制御して情報を記録する光情報記録方法において、ディスク１０の内周部で記録パルスのパルスタイミングを固定して記録パワーを変化させたテスト記録を行い、該テスト記録の再生信号のうちβ値があらかじめ設定された目標β値に最も近い記録パワーにおける所定の記録マークの長さを測定し、測定された所定の記録マークの長さに基づいて、所定の記録速度以上における目標β値を変更する。【選択図】図４
2008146770.tif 000002
【特許請求の範囲】
【請求項１】
円盤状の光情報記録媒体の内周部における記録速度と外周部における記録速度とが異なる方式を用い、再生信号の振幅の非対称性を表すβ値が目標β値となるように記録パルスの記録パワーを制御して情報を記録する光情報記録装置において、
光情報記録媒体の内周部で記録パルスのパルスタイミングを固定して記録パワーを変化させたテスト記録を行い、該テスト記録の再生信号のうちβ値があらかじめ設定された目標β値に最も近い記録パワーにおける再生信号を評価対象とする所定の評価項目であって、当該評価項目の値を検出する評価項目値検出手段と、
評価項目値検出手段により検出された評価項目の値に基づいて、所定の記録速度以上における目標β値を変更する目標β値変更手段とを備えた
ことを特徴とする光情報記録装置。
【請求項２】
前記評価項目として所定の記録マークの長さを用いる
ことを特徴とする請求項１に記載の光情報記録装置。
【請求項３】
前記目標β値変更手段は、
評価項目値検出手段により検出された所定の記録マークの長さと該記録マークの理論上の長さとの差に基づき、目標β値にあらかじめ設定された補正値を加算することで所定の記録速度以上における目標β値を変更する
ことを特徴とする請求項２に記載の光情報記録装置。
【請求項４】
前記評価項目として所定の記録マークの位相ずれ量を用いる
ことを特徴とする請求項１に記載の光情報記録装置。
【請求項５】
前記目標β値変更手段は、
評価項目値検出手段により検出された所定の記録マークの始端位相ずれ量に基づき、目標β値にあらかじめ設定された補正値を加算することで所定の記録速度以上における目標β値を変更する
ことを特徴とする請求項４に記載の光情報記録装置。
【請求項６】
前記目標β値変更手段は、
評価項目値検出手段により検出された所定の記録マークの終端位相ずれ量に基づき、目標β値にあらかじめ設定された補正値を加算することで所定の記録速度以上における目標β値を変更する
ことを特徴とする請求項４に記載の光情報記録装置。
【請求項７】
前記所定の記録マークは最短の記録マークを含む
ことを特徴とする請求項２乃至６の何れかに記載の光情報記録装置。
【請求項８】
前記評価項目として最短のスペースのジッタを用いる
ことを特徴とする請求項１に記載の光情報記録装置。
【請求項９】
前記所定の記録速度は２種類以上の記録速度を含む
ことを特徴とする請求項１乃至８の何れかに記載の光情報記録装置。
【請求項１０】
円盤状の光情報記録媒体の内周部における記録速度と外周部における記録速度とが異なる方式を用い、再生信号の振幅の非対称性を表すβ値が目標β値となるように記録パルスの記録パワーを制御して情報を記録する光情報記録方法において、
光情報記録媒体の内周部で記録パルスのパルスタイミングを固定して記録パワーを変化させたテスト記録を行い、該テスト記録の再生信号のうちβ値があらかじめ設定された目標β値に最も近い記録パワーにおける再生信号を評価対象とする所定の評価項目であって、当該評価項目の値を検出し、
検出された評価項目の値に基づいて、所定の記録速度以上における目標β値を変更する
ことを特徴とする光情報記録方法。
【請求項１１】
前記評価項目として所定の記録マークの長さを用いる
ことを特徴とする請求項１０に記載の光情報記録方法。
【請求項１２】
前記目標β値変更時に、検出された所定の記録マークの長さと該記録マークの理論上の長さとの差に基づき、目標β値にあらかじめ設定された補正値を加算することで所定の記録速度以上における目標β値を変更する
ことを特徴とする請求項１１に記載の光情報記録方法。
【請求項１３】
前記評価項目として所定の記録マークの位相ずれ量を用いる
ことを特徴とする請求項１０に記載の光情報記録方法。
【請求項１４】
前記目標β値変更時に、検出された所定の記録マークの始端位相ずれ量に基づき、目標β値にあらかじめ設定された補正値を加算することで所定の記録速度以上における目標β値を変更する
ことを特徴とする請求項１３に記載の光情報記録方法。
【請求項１５】
前記目標β値変更時に、検出された所定の記録マークの終端位相ずれ量に基づき、目標β値にあらかじめ設定された補正値を加算することで所定の記録速度以上における目標β値を変更する
ことを特徴とする請求項１３に記載の光情報記録装置。
【請求項１６】
前記所定の記録マークは最短の記録マークを含む
ことを特徴とする請求項１１乃至１５の何れかに記載の光情報記録方法。
【請求項１７】
前記評価項目として最短のスペースのジッタを用いる
ことを特徴とする請求項１０に記載の光情報記録方法。
【請求項１８】
前記所定の記録速度は２種類以上の記録速度を含む
ことを特徴とする請求項１０乃至１７の何れかに記載の光情報記録方法。
【発明の詳細な説明】
【技術分野】
【０００１】
本発明は、例えばＣＤ−Ｒ、ＤＶＤ−Ｒ、ＤＶＤ−ＲＡＭ等の書込み可能な光情報記録媒体に情報を記録する光情報記録装置、及び光情報記録方法に関するものである。
【背景技術】
【０００２】
従来、この種の光情報記録装置として、装着されたディスクのＩＤに対応した記録ストラテジをメモリから読み出し、読み出した記録ストラテジにてテスト記録を行い、テスト記録の結果からＣ１エラー値、ＰＩエラー値、β値、β値から決定される記録パワー値、チルト値等を含む記録特性を求め、β値から決定される記録パワー値が適正範囲の場合、求められた記録特性に基づいてメモリに記録された複数の記録ストラテジの中から本番記録用の記録ストラテジを決定し、β値から決定される記録パワー値が適正範囲でない場合、記録パワー値が適正範囲になるまで再度テスト記録を行うようにしたものが知られている（例えば、特許文献１参照）。
【特許文献１】特開２００６−１３４４０３号公報
【発明の開示】
【発明が解決しようとする課題】
【０００３】
従来の光情報記録装置では、記録パワーを変化させたテスト記録の再生信号から求められたβ値と、ディスクのＩＤに対応して設定されている目標β値との差に基づいて、再生信号のβ値が目標β値になるように記録パワーを決定していた。
【０００４】
しかしながら、光情報記録装置の回転制御方式がＣＡＶ（Constant Angular Velocity）、Ｐ−ＣＡＶ（Partial Constant Angular Velocity）、又はＺ−ＣＬＶ（Zone Constant Liner Velocity）の場合、ディスクの内周部における記録時のレーザ光の線速度（以下、記録速度という）と外周部における記録速度とが異なり、テスト記録領域のある内周部から外周部に向かうに従って記録速度は速くなるが、低速なテスト記録領域の再生信号から目標β値になるように決定した記録パワーで高速な外周部に記録すると、記録マークの長さが変化して再生信号の品質が悪化するという問題点があった。
【０００５】
また、近年、記録速度が高速化しており、ディスクを回転する駆動モータの性能や要求される回転精度、ディスクの振動増加や耐久性低下等のため、テスト記録時に回転数を上げて内周部のテスト記録領域において外周部の記録速度でテスト記録を行うことは困難であった。
【０００６】
本発明は、上記事情に鑑みてなされたものであり、その目的とするところは、ディスクの外周部においても適切な再生信号を得ることのできる光情報記録装置及び光情報記録方法を提供することにある。
【課題を解決するための手段】
【０００７】
本発明は前記目的を達成するために、円盤状の光情報記録媒体の内周部における記録速度と外周部における記録速度とが異なる方式を用い、再生信号の振幅の非対称性を表すβ値が目標β値となるように記録パルスの記録パワーを制御して情報を記録する光情報記録装置において、光情報記録媒体の内周部で記録パルスのパルスタイミングを固定して記録パワーを変化させたテスト記録を行い、該テスト記録の再生信号のうちβ値があらかじめ設定された目標β値に最も近い記録パワーにおける再生信号を評価対象とする所定の評価項目であって、当該評価項目の値を検出する評価項目値検出手段と、評価項目値検出手段により検出された評価項目の値に基づいて、所定の記録速度以上における目標β値を変更する目標β値変更手段とを備えた光情報記録装置を提案する。
【０００８】
この光情報記録装置によれば、テスト記録の再生信号のうちβ値があらかじめ設定された目標β値に最も近い記録パワーにおける所定の評価項目の値に基づいて、所定の記録速度以上における目標β値が変更される。
【０００９】
ここで、テスト記録の記録速度における所定の評価項目の値に基づいて光情報記録媒体の特性、例えばdeviation傾向を検出することができるので、deviation傾向からテスト記録の記録速度以上における目標β値を予測することが可能となる。
【００１０】
また、本発明は前記目的を達成するために、円盤状の光情報記録媒体の内周部における記録速度と外周部における記録速度とが異なる方式を用い、再生信号の振幅の非対称性を表すβ値が目標β値となるように記録パワーを制御して情報を記録する光情報記録方法において、光情報記録媒体の内周部で記録パルスのパルスタイミングを固定して記録パワーを変化させたテスト記録を行い、該テスト記録の再生信号のうちβ値があらかじめ設定された目標β値に最も近い記録パワーにおける再生信号を評価対象とする所定の評価項目であって、当該評価項目の値を検出し、検出された評価項目の値に基づいて、所定の記録速度以上における目標β値を変更する光情報記録方法を提案する。
【００１１】
この光情報記録方法によれば、テスト記録の再生信号のうちβ値があらかじめ設定された目標β値に最も近い記録パワーにおける所定の評価項目の値に基づいて、所定の記録速度以上における目標β値が変更される。
【００１２】
ここで、テスト記録の記録速度における所定の評価項目の値に基づいて光情報記録媒体の特性、例えばdeviation傾向を検出することができるので、deviation傾向からテスト記録の記録速度以上における目標β値を予測することが可能となる。
【発明の効果】
【００１３】
本発明に係る光情報記録装置によれば、テスト記録の記録速度における評価項目の値に基づいて光情報記録媒体の特性、例えばdeviation傾向を検出することができるので、deviation傾向からテスト記録の記録速度以上における目標β値を予測することが可能となるから、所定の記録速度における記録マークの長さが適切な値になるように目標β値を変更することができ、記録速度が速くなり良好な記録特性を保つことが困難なディスクの外周部においても適切な再生信号を得ることができる。
【００１４】
また、本発明に係る光情報記録方法によれば、テスト記録の記録速度における所定の評価項目の値に基づいて光情報記録媒体の特性、例えばdeviation傾向を検出することができるので、deviation傾向からテスト記録の記録速度以上における目標β値を予測することが可能となるから、所定の記録速度における記録マークの長さが適切な値になるように目標β値を変更することができ、記録速度が速くなり良好な記録特性を保つことが困難なディスクの外周部においても適切な再生信号を得ることができる。
【発明を実施するための最良の形態】
【００１５】
図１乃至図７は本発明の第１実施形態を示すもので、図１は光情報記録装置の概略ブロック図、図２は図１に示したディスクを説明する平面図、図３は再生信号の振幅の非対称性を表すβ値を説明する概念図、図４は目標β値設定処理のフローチャート、図５はテスト記録におえる記録パルスのパルスタイミングを説明する概念図、図６複数のディスクにおけるDeviation傾向を示すグラフ、図７は図１に示した記憶回路に記憶される補正値テーブルを説明する図である。
【００１６】
図１に示すように、光情報記録装置（以下、単にドライブという）１００は、エンコーダ１０１、ストラテジ回路１０２、レーザ発振器１０３、コリメータレンズ１０４、ハーフミラー１０５、対物レンズ１０６、集光レンズ１０７、受光部１０８、信号検出回路１０９、符号判定回路１１０、デコーダ１１１、スピンドルモータ１１２、モータ駆動部１１３、符号判定回路１１４、β値検出回路１１５、制御回路１１６、及び記憶回路１１７から構成されており、記録可能な光情報記録媒体（以下、単にディスクという）１０に対してレーザ光を照射して情報の記録又は再生を行う。
【００１７】
エンコーダ１０１は、所定の記録情報に対応した記録信号を符号化するためのものであり、所定の符号化方式、例えばＥＦＭ（Eight to Fourteen Modulation）で符号化した記録データをストラテジ回路１０２に出力している。
【００１８】
ストラテジ回路１０２には、レーザ光の照射条件であるライトストラテジを設定するためのものであり、所定のライトストラテジの各種パラメータが設定されている。ストラテジ回路１０２は、後述する制御回路１１６から入力される制御信号に基づいてストラテジの各種パラメータを補正して、ディスク１０に所望の記録状態が得られるであろう記録パルスを生成し、レーザ発振器１０３に出力している。
【００１９】
レーザ発振器１０３は、記録パルスに対応して出力するレーザ光の強度やパルス幅を制御し、制御されたレーザ光をコリメータレンズ１０４、ハーフミラー１０５、及び対物レンズ１０６を介してＣＡＶ（角速度一定）で回転するディスク１０に照射している。これにより、ディスク１０の記録層に記録マークとスペース（記録マークと記録マークとの間）とからなる記録マーク列が形成され、所定の記録情報が記録される。
【００２０】
これに対してディスク１０の記録層に記録された情報を再生する場合、レーザ発振器１０３は、一様な再生レーザ光をコリメータレンズ１０４、ハーフミラー１０５、及び対物レンズ１０６を介してＣＡＶ（角速度一定）で回転するメディア１０に照射している。
【００２１】
再生レーザ光は記録時のレーザ光よりも強度の弱いレーザ光が用いられており、受光部１０８は、再生レーザ光によるメディア１０からの反射光を対物レンズ１０６、ハーフミラー１０５、及び集光レンズ１０７を介して受光し、電気信号に変換して信号検出回路１０９に出力している。
【００２２】
受光部１０８が出力する電気信号は、図２に示すようにディスク１０の内周部の設定領域１１にあらかじめ記録されるディスク種類を表すメディアＩＤ及びドライブ１００によって記録される記録マーク列に対応しており、信号検出回路１０９は、電気信号に含まれるＲＦ信号とウォブル信号とを検出し、ＲＦ信号を符号判定回路１１０及び後述するβ値検出回路１１５に出力するとともに、ウォブル信号を後述するモータ駆動部１１３に出力している。
【００２３】
符号判定回路１１０は、例えばレベルスライスやＰＲＭＬ（Partial Response Maximum Likelihood）等の二値化処理によりＲＦ信号を符号化し、デコーダ１１１及び後述する制御回路１１６に出力している。
【００２４】
デコーダ１１１は、符号化されたＲＦ信号をさらに復号化し、再生信号として出力している。
【００２５】
スピンドルモータ１１２はディスク１０を回転するためのものであり、モータ駆動部１１３から入力される制御信号に基づいて所定の回転速度でディスク１０を回転する。
【００２６】
モータ駆動部１１３はスピンドルモータ１１２を駆動してディスク１０の回転を制御するためのものであり、符号判定回路１１４から入力されるウォブル信号に同期してＣＡＶ（角速度一定）でディスク１０を回転させるとともに、後述する制御回路１１６に記録速度の情報を出力している。本実施形態ではＣＡＶ（角速度一定）でディスク１０を回転させているが、これに限定されず、内周部における記録速度と外周部における記録速度が異なる限り、Ｐ−ＣＡＶやＺ−ＣＬＶであってもよい。
【００２７】
符号判定回路１１４は、ウォブル信号から所定周期Ｔのクロック信号を生成し、ウォブル信号をモータ駆動部１１３に出力するとともに、ウォブル信号に含まれるメディアＩＤを後述する制御回路１１６に出力している。
【００２８】
β検出回路１１５は信号検出回路１０９から入力されるＲＦ信号において振幅の非対称性を表すβ値を検出し、制御回路１１６に出力している。図３に示すように、β値はＲＦ信号をＡＣカップリングし、すなわちＲＦ信号の直流成分を除去してＧＮＤレベルを基準としたときに、ハイレベルの振幅とＧＮＤレベルとの差Ａと、ローレベルの振幅とＧＮＤレベルとの差Ｂとから以下の式（１）で表される。
【００２９】
β値＝（Ａ−Ｂ）／（Ａ＋Ｂ）  …（１）
制御回路１１６はＣＰＵ及びＲＡＭ、ＲＯＭ等のメモリ等を備えた周知のマイクロプロセッサであり、ストラテジ決定部１１６ａを有している。ストラテジ決定部１１６aは、ディスク１０に対応するライトストラテジを決定するためのものであり、入力された信号、及び自己のメモリにあらかじめ記憶されたプログラムに基づいてストラテジ回路１０２に制御信号を出力している。本実施形態では、符号判定回路１１４から入力されるクロック信号及びメディアＩＤと、符号判定回路１１０の二値化処理にて符号化されるＲＦ信号（以下、二値化ＲＦ信号という）と、モータ駆動部１１３から入力される記録速度と、β値検出回路１１５から入力されるβ値と、記憶回路１１７に記憶される目標β値及び補正値とに基づいて、再生信号のβ値が目標β値となる記録パワーの記録パルスをストラテジ回路１０２が生成するようにストラテジ回路１０２に制御信号を出力している。
【００３０】
記憶回路１１７は、ＥＥＰＲＯＭ等の書き換え可能な記憶素子等から構成されており、メディアＩＤごとに最適な記録パワーにおけるβ値を表す目標β値を記憶しており、後述するβ傾向判断値ごと及び記録速度ごとの補正値を後述する補正値テーブルとして記憶している。
【００３１】
ディスク１０に形成される記録マーク列は、理論上、ドライブ１００の符号判定回路１１４が生成するクロック信号の周期Ｔに対してｎＴの長さを有しており、ディスク１０に記録されたメディアＩＤごとに例えばｎ＝３〜１４の整数となる長さの異なる複数の記録マークが形成され得る。各記録マークに対応する記録パルスはストラテジ回路１０２によって設定される。
【００３２】
このようなドライブ１００とディスク１０で構成された記録システムにおいて、ディスク１０に所定の記録情報を記録する前に、目標β値設定処理Ｓ１００が実行される。
【００３３】
すなわち、図４に示すように、ドライブ１００にディスク１０が装填されると、レーザ発振器１０３がディスク１０の内周部の設定領域１１にレーザ光を照射し、最短記録マークの記録パルスを含む所定のテストパターンにおいて記録パルスのパルスタイミングを固定して記録パワーを変化させたテスト記録を行う（ステップＳ１０１）。
【００３４】
例えば、ステップＳ１０１のテスト記録における所定のテストパターンは、図５（ａ）に示す記録用クロック信号を基準として、メディアＩＤに拘わらず図５（ｂ）に示すように各記録パルスの始端ＳＴ及び終端ＥＴのタイミングを固定し、記録パワーＰを変化させる。これにより、複数のディスクにおける高速記録時のβ値傾向の特性を比較することが可能となる。（請求項１）
次に、レーザ発振器１０３がディスク１０の内周部の設定領域１１に再生レーザ光を照射して設定領域１１に記録されたメディアＩＤ及びテスト記録を再生し、ストラテジ設定部１１６ａは、符号判定回路１１４から入力されるメディアＩＤに対応する目標β値を記憶回路１１７から取得し（ステップＳ１０２）、取得した目標β値とβ値検出回路１１５から入力されたβ値とに基づいて、低速時の記録パワーを決定する（ステップＳ１０３）。
【００３５】
次に、ストラテジ設定部１１６ａは、β値検出回路１１５から入力されたβ値のうち記憶回路１１７から取得した目標β値に最も近い記録パワーでのテスト記録において、符号判定回路１１０から入力される二値化ＲＦ信号及び符号判定回路１１４から入力されるクロック信号に基づいて、最短記録マークを含む所定の記録マークに対応する二値化ＲＦ信号の長さ（以下、単に記録マークの長さという）を測定する（ステップＳ１０４）。
【００３６】
次に、ストラテジ設定部１１６ａは、ステップＳ１０４の処理において測定した所定の記録マークの長さとクロック信号の周期Ｔから以下の（２）式で表されるβ傾向判断値を算出する（ステップＳ１０５）。なお、テスト記録における最短記録マークは理論上の長さｎＴ（ｎは正の整数）に対応するものとし、テスト記録における最短記録マークの長さを「（ｎＴ）記録マーク」と表すものとする。
【００３７】
β傾向判断値＝｛（ｎＴ）記録マーク−ｎＴ｝−［｛（ｎ＋３）Ｔ｝記録マーク−（ｎ＋３）Ｔ］  …（２）
｛（ｎＴ）記録マーク−ｎＴ｝で求められる値はDeviationといい、（２）式は最短記録マークのDeviationと最短＋３Ｔの記録マークのDeviationとの差を求めている。複数のディスク１０におけるDeviation傾向を図６に例示する。
【００３８】
次に、ストラテジ設定部１１６ａは、ステップＳ１０５の処理において算出したβ傾向判断値とモータ駆動部１１３から入力される記録速度とに基づいて、記憶回路１１７に記憶された補正値テーブルから補正値を取得し、取得した補正値を目標β値に加算して高速時目標β値を設定する（ステップＳ１０６）。ここで、テスト記録の記録速度における記録マークの長さに基づいてディスク１０の特性、例えば最短記録マークのDeviationと最短＋３Ｔの記録マークのDeviationとの差を求めることができるので、最短記録マークのDeviationと最短＋３Ｔの記録マークのDeviationとの差からテスト記録の記録速度以上における目標β値を予測することが可能となる。
【００３９】
例えば、目標β値が０．０２で、算出したβ傾向判断値が−５０［ｎｓ］の場合、４８倍速における高速時目標β値は、目標β値（０．０２）に図７に示す補正値テーブルの補正値（−０．０６）を加算して−０．０４となる。このように、所定のDeviationに基づき、目標β値に適切な補正値を加算することで記録速度に応じた適切な目標β値に簡易に変更することができる。
【００４０】
ここで、情報が記録されたディスク１０において、最短記録マークが最も出現頻度が高く、マーク形成の要求精度が最も高い。従って、最短記録マークの長さに基づいて高速時目標β値を変更することにより再生信号の品質への影響が最も大きくなる。
【００４１】
目標β値設定処理終了後、所定の記録情報をディスク１０の外周部の記録領域１２に記録する際に、ストラテジ設定部１１６ａは、モータ駆動部１１３から入力される記録速度に基づいて、低速時にはステップＳ１０３の処理において決定した記録パワーとなるようにストラテジ回路１０２が生成する記録パルスの記録パワーを制御するとともに、所定の記録速度に達すると、再生信号のβ値がステップＳ１０６の処理において設定した高速時目標β値となるようにストラテジ回路１０２が生成する記録パルスの記録パワーを制御する。
【００４２】
なお、本実施形態では、所定の記録速度以上において高速時目標β値に変更するようにしたが、これに限定されず、例えば中速時目標β値を更に設定するようにして、中速時及び高速時の２つの記録速度で目標β値を変更するようにしてもよい。これにより、複数の記録速度において目標β値を変更することができる。
【００４３】
また、目標β値設定処理終了後、所定の記録情報を記録するときは、品質の良い再生信号を得るためにメディアＩＤに対応したパルスタイミングの記録パルスで記録されるが、記録パルスの始端及び終端の一方もしくは両方のタイミングがステップＳ１０１の処理において固定した記録パルスのパルスタイミングと異なる場合でも、所定の記録情報を記録するときの最短記録マークの記録パルス幅とステップＳ１０１の処理における最短記録マークの記録パルス幅とが同じであれば、感度を同一視することができる。所定の記録情報を記録するときの最短記録マークの記録パルス幅とステップＳ１０１の処理における最短記録マークの記録パルス幅とが異なる場合には、目標β値設定処理において、低速時記録パワーを決定するためにメディアＩＤに対応したパルスタイミングの記録パルスでテスト記録をする処理を追加する必要がある。
【００４４】
このように、本発明によれば、テスト記録の記録速度における記録マークの長さに基づいて光情報記録媒体の特性、例えば最短記録マークのDeviationと最短＋３Ｔの記録マークのDeviationとの差を求めることができるので、最短記録マークのDeviationと最短＋３Ｔの記録マークのDeviationとの差からテスト記録の記録速度以上における目標β値を予測することが可能となるから、所定の記録速度における記録マークの長さが適切な値になるように目標β値を変更することができ、記録速度が速くなり良好な記録特性を保つことが困難なディスク１０の外周部においても適切な再生信号を得ることができる。
【００４５】
また、所定のDeviationに基づき、目標β値に適切な補正値を加算することで記録速度に応じた適切な目標β値に簡易に変更することができるから、目標β値の変更に伴う再生信号の品質の変動を少なくすることができる。
【００４６】
さらに、最短記録マークの長さに基づいて高速時目標β値を変更することにより再生信号の品質への影響が最も大きくなるから、ディスク１０の外周部においても更に適切な再生信号を得ることができる。
【００４７】
さらに、複数の記録速度において目標β値を変更することができるから、ディスク１０の全周において更に適切な再生信号を得ることができる。
【００４８】
図８乃至図１３は本発明の第２実施形態を示すもので、図８は目標β値設定処理のフローチャート、図９は始端位相ずれ量を検出するためのテストパターンと記録マーク列を説明する概念図、図１０は補正値テーブルにおける始端位相ずれ量を検出するための特定パターンを説明する図、図１１は始端位相ずれ量を検出するためのテストパターンと記録マーク列を説明する概念図、図１２は補正値テーブルにおける終端位相ずれ量を検出するための特定パターンを説明する図、図１３は複数のディスクにおける始端位相ずれ量傾向を示すグラフである。
【００４９】
第２実施形態と第１実施形態との相違点は、記録マークの長さに代えて記録マークの位相ずれ量を検出するようにしたことである。なお、前述した第１実施形態と同一構成部分は同一符号をもって表し、その説明を省略する。また、以下の説明において特に記載がない限り、メディアＩＤに対して長さｎＴ（ｎ＝３〜１４の整数）となる記録マークが対応するものとする。
【００５０】
すなわち、図８に示すように、第１実施形態と同様にステップＳ１０１〜Ｓ１０３の処理を行った後、ステップＳ１０４に代えて、レーザ発振器１０３がディスク１０の内周部の設定領域１１に再生レーザ光を照射し、ストラテジ設定部１１６ａは、β値検出回路１１５から入力されたβ値のうち記憶回路１１７から取得した目標β値に最も近い記録パワーでのテスト記録において、符号判定回路１１０から入力される二値化ＲＦ信号及び符号判定回路１１４から入力されるクロック信号に基づいて、テスト記録に含まれる複数の記録マーク及びスペースの長さをそれぞれ測定し、制御回路１１６のメモリに再生順に連続して記憶する（ステップＳ１０７）。
【００５１】
次に、ストラテジ決定部１１６ａは、メモリに記憶された記録マーク及びスペースの長さから記憶回路１１７に記憶されたパターンテーブルの特定パターンに合致するパターンを抽出し、特定パターンごとに平均した記録マークの位相ずれ量を検出する（ステップＳ１０８）。
【００５２】
例えば、ステップＳ１０３のテスト記録における所定のテストパターンは図９（ａ）に示すように、固定記録マークＭｘ、固定スペースＳｙ、及び可変記録マークＭｚに対応する記録パルスが連続するパターンを含んでおり、固定記録マークＭｘ及び固定スペースＳｙに対応する記録パルスの長さをそれぞれ固定し、可変記録マークＭｚに対する記録パルスの長さを変化させることで、図９（ｂ）〜（ｆ）に示すように、ディスク１０に形成される可変記録マークＭｚの長さがそれぞれ３Ｔ〜７Ｔに変化する。なお、可変記録マークＭｚの長さは１４Ｔまで変化するものとする（図示せず）。
【００５３】
ここで、テスト記録によりディスク１０に形成される記録マーク列の固定スペースＳｙの長さは理論上一定になるはずであるが、固定スペースＳｙの長さが理論上の長さからずれていると、固定記録マークＭｘの長さは固定されているので、固定スペースＳｙにおける理論上の長さと実際の長さとの差は可変記録マークＭｚの始端位相ずれ量に対応することになる。よって、図９（ｂ）〜（ｆ）の固定スペースＳｙの長さと理論上の固定スペースの長さとを比較することで、各図に示すように、可変記録マークＭｚの始端位相ずれ量ＳＰ３Ｔ〜ＳＰ７Ｔを得ることができる。
【００５４】
図１０に示すように、記憶回路１１７に記憶されたパターンテーブルは、可変記録マークＭｚの長さが３Ｔ〜１４Ｔの特定パターンごとに固定記録マークＭｘ、固定スペースＳｙ、可変記録マークＭｚの上限及び下限が設定されており、ストラテジ決定部１１６ａは各特定パターンごとに上限及び下限を満たすパターンを制御回路１１６のメモリから抽出し、固定スペースＳｙの長さの平均値を求め、理論上の長さとの差から可変記録マークＭｚの始端位相ずれ量ＳＰ３Ｔ〜ＳＰ１４Ｔを検出する。
【００５５】
あるいは、例えばステップＳ１０３のテスト記録における所定のテストパターンは図１１（ａ）に示すように、可変記録マークＭｚ、固定スペースＳｙ、及び固定記録マークＭｘに対応する記録パルスが連続するパターンを含んでおり、固定スペースＳｙ及び固定記録マークＭｘに対応する記録パルスの長さをそれぞれ固定し、可変記録マークＭｚに対する記録パルスの長さを変化させることで、図１１（ｂ）〜（ｆ）に示すように、ディスク１０に形成される可変記録マークＭｚの長さがそれぞれ３Ｔ〜７Ｔに変化する。なお、可変記録マークＭｚの長さは１４Ｔまで変化するものとする（図示せず）。
【００５６】
ここで、テスト記録によりディスク１０に形成される記録マーク列の固定スペースＳｙの長さは理論上一定になるはずであるが、固定スペースＳｙの長さが理論上の長さからずれていると、固定記録マークＭｘの長さは固定されているので、固定スペースＳｙにおける理論上の長さと実際の長さとの差は可変記録マークＭｚの終端位相ずれ量に対応することになる。よって、図１１（ｂ）〜（ｆ）の固定スペースＳｙの長さと理論上の固定スペースの長さとを比較することで、各図に示すように、可変記録マークＭｚの終端位相ずれ量ＥＰ３Ｔ〜ＥＰ７Ｔを得ることができる。
【００５７】
図１２に示すように、記憶回路１１７に記憶されたパターンテーブルは、可変記録マークＭｚの長さが３Ｔ〜１４Ｔの特定パターンごとに固定記録マークＭｘ、固定スペースＳｙ、可変記録マークＭｚの上限及び下限が設定されており、ストラテジ決定部１１６ａは各特定パターンごとに上限及び下限を満たすパターンを制御回路１１６のメモリから抽出し、固定スペースＳｙの長さの平均値を求め、理論上の長さとの差から可変記録マークＭｚの終端位相ずれ量ＥＰ３Ｔ〜ＥＰ１４Ｔを検出する。
【００５８】
こうして検出した複数のディスク１０における始端位相ずれ量傾向を図１３に例示する。なお、終端位相ずれ量を検出する場合も同様の結果となる（図示せず）。
【００５９】
ステップＳ１０８の処理を行った後、第１実施形態と同様にステップＳ１０５及びステップＳ１０６の処理を行い、β傾向判断値を算出して高速時目標β値を設定する。なお、ステップＳ１０５の処理においてβ傾向判断値を算出する際には、前述の（２）式に代えて以下の（３）式又は（４）式を用いる。
【００６０】
β傾向判断値＝ＳＰ３Ｔ  −  ＳＰ６Ｔ  …（３）
β傾向判断値＝ＥＰ３Ｔ  −  ＥＰ６Ｔ  …（４）
このように、本実施形態によれば、記録マークの長さに代えて記録マークの位相ずれ量を検出するようにした場合でも、第１実施形態と同様の効果をえることができる。
【００６１】
図１４及び図１５は本発明の第３実施形態を示すもので、図１４は目標β値設定処理のフローチャート、図１５は補正値テーブルにおける最短のスペースのジッタを検出するための特定パターンを説明する図である。
【００６２】
第３実施形態と第１実施形態との相違点は、記録マークの長さに代えて最短のスペースのジッタを検出するようにしたことである。なお、前述した第１実施形態と同一構成部分は同一符号をもって表し、その説明を省略する。また、以下の説明において特に記載がない限り、メディアＩＤに対して長さｎＴ（ｎ＝３〜１４の整数）となる記録マークが対応するものとする。
【００６３】
すなわち、図１４に示すように、第１実施形態と同様にステップＳ１０１〜Ｓ１０３の処理を行った後、ステップＳ１０４に代えて、レーザ発振器１０３がディスク１０の設定領域１１に再生レーザ光を照射し、ストラテジ設定部１１６ａは、β値検出回路１１５から入力されたβ値のうち記憶回路１１７から取得した目標β値に最も近い記録パワーでのテスト記録において、符号判定回路１１０から入力される二値化ＲＦ信号及び符号判定回路１１４から入力されるクロック信号に基づいて、テスト記録に含まれる複数の記録マーク及びスペースの長さをそれぞれ測定し、制御回路１１６のメモリに再生順に連続して記憶する（ステップＳ１０７）。
【００６４】
次に、ストラテジ決定部１１６ａは、メモリに記憶された記録マーク及びスペースの長さから記憶回路１１７に記憶されたパターンテーブルの特定パターンに合致するパターンを抽出し、特定パターンごとに平均した最短のスペースのジッタを検出する（ステップＳ１０９）。
【００６５】
例えば、図９（ｂ）〜（ｆ）に示したように、最短の固定スペースＳｙの長さが理論上の長さ３Ｔからずれていると、可変記録マークＭｚの開始位相ずれ量が変化する得とともに、最短の固定スペースＳｙのジッタが変化する。よって、図９（ｂ）〜（ｆ）の最短の固定スペースＳｙの長さと理論上の固定スペースの長さ３Ｔとを比較することで、最短の固定スペースＳｙのジッタを得ることができる。
【００６６】
図１５に示すように、記憶回路１１７に記憶されたパターンテーブルは、可変記録マークＭｚの長さが３Ｔ〜１４Ｔの特定パターンごとに固定記録マークＭｘ、固定スペースＳｙ、可変記録マークＭｚの上限及び下限が設定されており、ストラテジ決定部１１６ａは各特定パターンごとに上限及び下限を満たすパターンを制御回路１１６のメモリから抽出し、最短の固定スペースＳｙの長さの平均値を求め、理論上の長さ３Ｔとの差から最短の固定スペースＳｙのジッタＳＪ３Ｔを検出する。
【００６７】
ステップＳ１０９の処理を行った後、第１実施形態と同様にステップＳ１０５及びステップＳ１０６の処理を行い、β傾向判断値を算出して高速時目標β値を設定する。なお、ステップＳ１０５の処理においてβ傾向判断値を算出する際には、前述の（２）式に代えて以下の（５）式を用いる。
【００６８】
β傾向判断値＝ＳＪ３Ｔ  …（５）
このように、本実施形態によれば、記録マークの長さに代えて最短のスペースのジッタを検出するようにした場合でも、第１実施形態と同様の効果をえることができる。
【００６９】
なお、前述の各実施形態の構成又は動作を組み合わせたり或いは一部の構成部分を入れ替えたりしたりしてもよい。
【００７０】
また、本発明の構成及び動作は前述の各実施形態のみに限定されるものではなく、本発明の要旨を逸脱しない範囲内において種々変更を加えてもよい。
【図面の簡単な説明】
【００７１】
【図１】光情報記録装置の概略ブロック図
【図２】図１に示したディスクを説明する平面図
【図３】再生信号の振幅の非対称性を表すβ値を説明する概念図
【図４】目標β値設定処理のフローチャート
【図５】テスト記録におえる記録パルスのパルスタイミングを説明する概念図
【図６】複数のディスクにおけるDeviation傾向を示すグラフ
【図７】図１に示した記憶回路に記録される補正値テーブルを説明する図
【図８】目標β値設定処理のフローチャート
【図９】始端位相ずれ量を検出するためのテストパターンと記録マーク列を説明する概念図
【図１０】補正値テーブルにおける始端位相ずれ量を検出するための特定パターンを説明する図
【図１１】終端位相ずれ量を検出するためのテストパターンと記録マーク列を説明する概念図
【図１２】補正値テーブルにおける終端位相ずれ量を検出するための特定パターンを説明する図
【図１３】複数のディスクにおける始端位相ずれ量傾向を示すグラフ
【図１４】目標β値設定処理のフローチャート
【図１５】補正値テーブルにおける最短のスペースのジッタを検出するための特定パターンを説明する図
【符号の説明】
【００７２】
１０…ディスク、１００…ドライブ、１１６ａ…ストラテジ決定部。
【図１】
2008146770.tif 000003
【図２】
2008146770.tif 000004
【図３】
2008146770.tif 000005
【図４】
2008146770.tif 000006
【図５】
2008146770.tif 000007
【図６】
2008146770.tif 000008
【図７】
2008146770.tif 000009
【図８】
2008146770.tif 000010
【図９】
2008146770.tif 000011
【図１０】
2008146770.tif 000012
【図１１】
2008146770.tif 000013
【図１２】
2008146770.tif 000014
【図１３】
2008146770.tif 000015
【図１４】
2008146770.tif 000016
【図１５】
2008146770.tif 000017